(57)【特許請求の範囲】
【請求項１】
前後にスタッキング可能な脚部の上端に天板の後部を上下回動可能に枢着するとともに、前記脚部と天板前部間に設けたステーによって天板を水平状態と前部を跳ね上げた立起状態とに保持し、天板が立起状態で前後方向にスタッキングが可能な水平スタッキングテーブルであって、前記脚部の天板枢着部より前下方位置に横設した水平杆に前記ステーの基端部を回動可能に枢着するとともに、該ステーを跳ね上げ方向に弾性付勢し、前記天板の下面前部に前後方向に取付けた案内部材に、上方へ湾曲した案内部と該案内部の前後端に上方へ切れ込んだ係合部とからなるガイド溝を形成し、前記ステーの先端部に設けた摺動部を前記ガイド溝内にスライド係合し、前記ステーの摺動部がガイド溝の前方係合部に係合した状態で前記天板を水平状態に支持するとともに、摺動部が後方係合部に係合した状態で前記天板を立起状態に支持してなることを特徴とする水平スタッキングテーブル。
【請求項２】
前記ステーは左右に一対設け、それに応じて前記案内部材を天板下面の左右に一対設けるとともに、各案内部材の対向面側に対称に前記ガイド溝を形成し、前記両ステーの先端部に渡設した連結杆の両端部に形成した摺動部を前記各ガイド溝にスライド係合してなる請求項１記載の水平スタッキングテーブル。
【請求項３】
前記天板が水平状態のときの前記ステーの弾性付勢力は該天板が跳ね上がらない程度の強さに設定されている請求項１又は２記載の水平スタッキングテーブル。
【請求項４】
前記ステーの基端部にヒンジ部材を取付け、該ヒンジ部材は前記水平杆を包囲して回動可能に連結する軸受部を有するとともに、該軸受部の内周面に円周方向の溝部を形成し、該溝部内に収容し且つ前記水平杆に巻回した引張りコイルばねの一端を該水平杆に固定するとともに、他端を溝部内の適所又はステーの先端部に固定し、当該ヒンジ部材にてステーを回動可能に水平杆に連結するとともに、前記引張りコイルばねにてステーを跳ね上げる方向へ弾性付勢してなる請求項１〜３何れかに記載の水平スタッキングテーブル。
【発明の詳細な説明】
【０００１】
【発明の属する技術分野】
本発明は、水平スタッキングテーブルに係わり、更に詳しくは脚部に上下回動可能に枢着した天板を水平状態と立起状態とに保持し、天板が立起状態で前後方向にスタッキングが可能な水平スタッキングテーブルに関するものである。
【０００２】
【従来の技術】
従来、脚部の上端に天板の後部を上下回動可能に枢着するとともに、前記天板を水平状態と前部を跳ね上げた立起状態とに保持し、天板が立起状態で前後方向にスタッキングが可能な水平スタッキングテーブルは各種提供されている。この種の水平スタッキングテーブルは、脚部の構造が前後に重なるように工夫されたものであり、天板は立起状態で前後に重なるようになっている。
【０００３】
例えば、両側脚部に上下回動可能に天板を取付け、該天板の立起回転に伴って両側脚部が回転変位して複数のテーブルを前後にスタッキング可能としてなる折畳み式テーブルは、実公昭５６−３７６１９号公報として既に提供されている。この公報記載の折畳み式テーブルは、天板を水平状態から立起状態に回転させる折畳み動作に伴って、前記脚部を約４５°だけ内向きに回転させて前後にスタッキングできるように変形させる構造のものである。この種の脚部を変形させる構造のものは機構的に複雑になってコスト高になる。
【０００４】
また、前記天板を水平状態と立起状態とに支持する構造は、脚部と天板との枢着部においてその回転角度を制限する構造のものが多く、高い支持強度を出すために枢着部は頑丈な構造となっていた。しかし、脚部と天板との枢着部を頑丈な構造にしても、基本的には天板が片持ち状態で支持されているので、上下のガタツキを完全に抑制することができないばかりでなく、コスト高となっていた。
【０００５】
尚、水平スタッキングテーブルではないが、天板の前部を持上げた立起状態にステーで支持する構造として、実公昭５８−３７３２７号公報には、脚台の上部後端に天板の後端を上下回動可能に枢着するとともに、脚台内の両側に前後方向に延び下縁に所定間隔毎に係合凹所を形成したスリットを設け、天板の前後中間部両側にステーを枢着し、該両ステーの下端部を前記両スリットに貫通したロッドの両端部に連結するとともに、該ロッドの端部にノブを螺着した構造のものが開示されている。この場合、前記ロッドを所定の係合凹所に係合させて、天板を所定の角度に傾斜させた状態で前記ノブを締付けてその状態を固定するものである。
【０００６】
【発明が解決しようとする課題】
本発明が前述の状況に鑑み、解決しようとするところは、前後にスタッキング可能な脚部の上端に天板の後部を上下回動可能に枢着し、天板が立起状態で前後方向にスタッキングが可能な水平スタッキングテーブルにおいて、天板を水平状態と立起状態とに簡単な機構にてガタツキなく確実に支持することができるとともに、天板を水平状態と立起状態との間でスムーズに変化させることができる水平スタッキングテーブルを提供する点にある。
【０００７】
【課題を解決するための手段】
本発明は、前述の課題解決のために、前後にスタッキング可能な脚部の上端に天板の後部を上下回動可能に枢着するとともに、前記脚部と天板前部間に設けたステーによって天板を水平状態と前部を跳ね上げた立起状態とに保持し、天板が立起状態で前後方向にスタッキングが可能な水平スタッキングテーブルであって、前記脚部の天板枢着部より前下方位置に横設した水平杆に前記ステーの基端部を回動可能に枢着するとともに、該ステーを跳ね上げ方向に弾性付勢し、前記天板の下面前部に前後方向に取付けた案内部材に、上方へ湾曲した案内部と該案内部の前後端に上方へ切れ込んだ係合部とからなるガイド溝を形成し、前記ステーの先端部に設けた摺動部を前記ガイド溝内にスライド係合し、前記ステーの摺動部がガイド溝の前方係合部に係合した状態で前記天板を水平状態に支持するとともに、摺動部が後方係合部に係合した状態で前記天板を立起状態に支持してなる水平スタッキングテーブルを構成した。
【０００８】
ここで、前記ステーは左右に一対設け、それに応じて前記案内部材を天板下面の左右に一対設けるとともに、各案内部材の対向面側に対称に前記ガイド溝を形成し、前記両ステーの先端部に渡設した連結杆の両端部に形成した摺動部を前記各ガイド溝にスライド係合してなることが好ましい。
【０００９】
また、前記天板が水平状態のときの前記ステーの弾性付勢力は該天板が跳ね上がらない程度の強さに設定されているものである。
【００１０】
そして、前記ステーの基端部にヒンジ部材を取付け、該ヒンジ部材は前記水平杆を包囲して回動可能に連結する軸受部を有するとともに、該軸受部の内周面に円周方向の溝部を形成し、該溝部内に収容し且つ前記水平杆に巻回した引張りコイルばねの一端を該水平杆に固定するとともに、他端を溝部内の適所又はステーの先端部に固定し、当該ヒンジ部材にてステーを回動可能に水平杆に連結するとともに、前記引張りコイルばねにてステーを跳ね上げる方向へ弾性付勢してなることがより好ましい。
【００１１】
【発明の実施の形態】
次に本発明の実施の形態を添付図面に基づき更に詳細に説明する。図１〜図４は本発明に係る水平スタッキングテーブルＡを示し、図中符号１は脚部、２は天板、３はステー、４は枢着部、５はヒンジ部材、６は案内部材をそれぞれ示している。
【００１２】
本発明に係る水平スタッキングテーブルＡは、前後にスタッキング可能な構造を有する脚部１の上端に天板２の後部を上下回動可能に枢着するとともに、前記脚部１と天板２の前部間に設けたステー３によって天板２を水平状態と前部を跳ね上げた立起状態とに保持し、天板２が立起状態で前後方向にスタッキングが可能なものである。
【００１３】
更に詳しくは、前記水平スタッキングテーブルＡは、前記脚部１の天板枢着部４より前下方位置に横設した水平杆７に前記ステー３の基端部をヒンジ部材５にて回動可能に枢着するとともに、該ステー３を跳ね上げ方向に弾性付勢し、前記天板２の下面前部に前後方向に取付けた案内部材６に、上方へ湾曲した案内部８Ａと該案内部８Ａの前後端に上方へ切れ込んだ係合部８Ｂ，８Ｃとからなるガイド溝８を形成し、前記ステー３の先端部に設けた摺動部９を前記ガイド溝８内にスライド係合し、前記ステー３の摺動部９がガイド溝の前方係合部８Ｂに係合した状態で前記天板２を水平状態に支持するとともに、摺動部９が後方係合部８Ｃに係合した状態で前記天板２を立起状態に支持してなるものである。
【００１４】
更に、前記脚部１は、複数の鋼管で構成されており、左右両側に後方へ湾曲しながら傾斜した前脚杆１０の上端間に支持杆１１を渡設するとともに、該支持杆１１より下方で若干前方位置に前記水平杆７を渡設し、両前脚杆１０，１０の間隔よりも狭く設定した左右両側の後脚杆１２，１２の上端を前記水平杆７の両端部に溶着し、更に前記水平杆７より下方位置で前記前脚杆１０と後脚杆１２とを補強杆１３でそれぞれ連結した構造となっている。そして、前後にスタッキングする場合には、図４に示すように、前方に位置する水平スタッキングテーブルＡの脚部１の後脚杆１２，１２が、後方に位置する水平スタッキングテーブルＡの脚部１の前脚杆１０，１０の間に挿入された状態となる。また、前記両前脚杆１０，１０と前記両後脚杆１２，１２の下端にはキャスター１４，…が取付けられている。更に、前記支持杆１１には、幕板１５の上端が取付けられ、該幕板１５の下端は前記後脚杆１２，１２の背面に当止されている。
【００１５】
本実施形態では、前記ステー３，３を左右に一対設け、それに応じて前記案内部材６，６を天板２の下面の左右に一対設けるとともに、各案内部材６の対向面側に対称に前記ガイド溝８を形成し、前記両ステー３，３の先端部に渡設した連結杆１６の両端部に形成した摺動部９，９を前記各ガイド溝８，８にスライド係合している。また、本実施形態では、前記両案内部材６，６を利用して、天板２の下方にフレーム状の棚受部１７を取付けている。
【００１６】
前記ガイド溝８は、上方へ緩やかに湾曲させて案内部８Ａを形成することで、前記ステー３の状端部の摺動部９をスムーズに案内することができるとともに、前記案内部材６の上下幅を小さくすることが可能となる。また、前記案内部８Ａの前後両端から上方へ前方係合部８Ｂと後方係合部８Ｃを切り込み形成しているが、これら係合部８Ｂ，８Ｃの深さは前記摺動部９を形成する連結杆１６の直径よりも大きく設定している。
【００１７】
次に、図５〜図１０に基づいて、前記ヒンジ部材５を説明する。本実施形態では、このヒンジ部材５の内部に前記ステー３を跳ね上げ方向に弾性付勢するためのばね機構を内蔵させている。つまり、前記ヒンジ部材５は、前記ステー３の基端部を連結するための取付部１８と、前記水平杆７を包囲して回動可能に連結する軸受部１９を有するとともに、該軸受部１９の内周面に円周方向の溝部２０を形成し、該溝部２０内に収容し且つ前記水平杆７に巻回した引張りコイルばね２１の一端２１Ａを該水平杆７に固定するとともに、他端２１Ｂを溝部２０内の適所又はステー３の先端部に固定した構造のものである。そして、当該ヒンジ部材５にてステー３を回動可能に水平杆７に連結するとともに、前記引張りコイルばね２１にてステー３を跳ね上げる方向へ弾性付勢するのである。ここで、前記天板２が水平状態のときの前記ステー３の弾性付勢力は、該天板２が跳ね上がらない程度の強さに設定されている。
【００１８】
更に詳しくは、前記ヒンジ部材５は、図７〜図１０に示すように、合成樹脂製で一体成形した部材であり、中央部の薄肉部２２で連設された第１ヒンジ部２３と第２ヒンジ部２４との二つ割構造となっている。各ヒンジ部２３，２４の遊端部には互いに重合した状態で前記取付部１８を形成する半割取付部２５と半割取付部２６とを有するとともに、各半割取付部２５，２６にはステー３を取付ける取付溝２７，２８を形成し、且つ取付溝２７，２８に貫通した取付孔２９，３０を形成している。また、各ヒンジ部２３，２４の薄肉部２２寄り部分には、前記水平杆７を回動可能に包持する半割軸受溝３１，３２を形成するとともに、該半割軸受溝３１，３２の軸方向中央部に前記溝部２０，２０を形成し、更に薄肉部２２に連続した接合部３３，３４には互いに係合する突起３５と凹部３６が形成されている。また、前記半割取付部２５の取付溝２７と半割軸受溝３１の境界には、前記ステー３の基端を当止する突片３７を形成している。そして、前記各ヒンジ部２３，２４を薄肉部２２に屈曲させて重合させると図１０に示すようにヒンジ部材５が構成される。
【００１９】
前記ヒンジ部材５を用いてステー３を水平杆７に枢着し且つ弾性付勢するには、先ず各ヒンジ部２３，２４を開いた状態で、ステー３の基端部を前記取付溝２７に係合させ、外側から固定ネジ３８を取付孔２９とステー３に貫通させ、一方、前記引張りコイルばね２１の一端２１Ａを前記水平杆７にネジ３９で固定し、そして該引張りコイルばね２１をヒンジ部２３の溝部２０内に受け入れながら半割軸受溝３１を水平杆７に当接し、それから引張りコイルばね２１の他端２１Ｂを前記固定ネジ３８に係止するとともに、ヒンジ部２４をヒンジ部２３に重合させて該ヒンジ部２４の溝部２０内に引張りコイルばね２１を受け入れ且つ半割軸受溝３２で水平杆７を包囲し、更に前記固定ネジ３８をヒンジ部２４の取付孔３０に貫通させ且つステー３の基端部を前記取付溝２８に係合させた後、ナット４０で固定ネジ３８を締付けるのである。
【００２０】
この場合、前記ヒンジ部材５は、引張りコイルばね２１の一端２１Ａを前記水平杆７に固定したネジ３９によって、少なくとも引張りコイルばね２１の一端部は水平杆７に沿った方向に移動することはないので、当該ヒンジ部材５が、水平杆７の軸方向に移動することなく回動可能に取付けられる。また、前記ヒンジ部材５に内蔵された前記引張りコイルばね２１によって、前記ステー３の先端部を跳ね上げる方向に弾性付勢されるのである。この弾性付勢力は、前記引張りコイルばね２１のばね定数、長さ、水平杆７への固定位置を調節することによって、適宜な値に設定可能である。
【００２１】
前記前記ヒンジ部材５に内蔵された前記引張りコイルばね２１によって跳ね上げ方向へ弾性付勢されたステー３の摺動部９は、前記ガイド溝８の上縁に常時押し当てられた状態となる。つまり、前記天板２が水平状態では、前方係合部８Ｂに摺動部９が係合する方向に弾性付勢され、天板２の前部を持上げて枢着部４を中心に回動させた際には、前方係合部８Ｂと摺動部９の係合が外れてガイド部８Ａの上縁を摺動部９がスライドしながら移動し、最も天板２を起こして傾斜させた立起状態では後方係合部８Ｃに摺動部９が係合する方向に弾性付勢されている。この天板２の立起状態では、前記ステー３が跳ね上げ方向に弾性付勢されているので、該ステー３を手前に引かない限り、後方係合部８Ｃと摺動部９との係合が外れることはなく、即ち天板２を立起状態で安定に支持することができる。
【００２２】
また、天板２を立起状態から水平状態へ移すには、前記ステー３の中間部に側設したレバー４１を持って弾性付勢力に抗して手前に引き、後方係合部８Ｃと摺動部９との係合を外すと、天板２の自重によって該天板２は下方へ回動し、その回動速度はステー３が跳ね上げ力で減速され、摺動部９が前方係合部８Ｂに至って係合すると、もはや天板２は下方へ回動せず水平状態に支持されるのである。
【００２３】
ここで、前記天板２の枢着部４を中心とする回動動作と、ステー３のヒンジ部材５を中心とする回動動作の関係を、前記ガイド部８Ａが直線の場合と比較して説明する。前記天板２を水平状態から立起状態に移行する際には、天板２の回転角度が大きくなるとステーの回転角度の変化はガイド部８Ａの上方湾曲のため大きくなり、摺動部９が円弧状のガイド部８Ａの頂部を過ぎると逆に小さくなる。尚、前記天板２が立起状態から水平状態へ移行する際には、前述と逆の動作になる。また、前記天板２の自重による下方回転のモーメントは、立起状態の場合に最も小さく、水平状態の場合に最も大きくなる。また、前記ステー３の弾性付勢力は、天板２が立起状態の場合に最も大きく、水平状態の場合に最も小さくなる。そのため、天板２が立起状態から下方へ回動する途中まで天板２の自重では改定しないように前記ステー３の弾性付勢力を設定することが可能であり、その場合、天板２を下方へ回動途中で、前記ステー３の弾性付勢力より前記天板２の自重による下方回転のモーメントが逆転し、その後は天板２は自重によって水平状態に復帰するのである。
【００２４】
最後に、前記天板２を脚部１の支持杆１１に枢着した枢着部４の構造と、前記幕板１５の支持構造を図１１〜図１３に基づいて説明する。前記枢着部４を構成する軸受部材４２は、両端部に天板２下面への取付片４３，４３を有するとともに、中央部に上方開放した軸受部４４を有する側面視略ひ字形の部材である。そして、前記軸受部４４を前記支持杆１１にその開放側から両取付片４３，４３を拡開しながら外嵌し、該軸受部４４の弾性復元力を利用して前記支持杆１１に密嵌させ、ガタツキない回動動作を実現する。また、前記軸受部材４２の軸受部４４の軸方向中央部には、前方側の取付片４３から軸受部４４の円周方向途中部まで開口４５を形成し、前記支持杆１１を露出させ、該開口４５内に支持部材４６の半円筒状の固定部４７を挿入し、前記支持杆１１にネジ止めする。ここで、前記軸受部材４２の固定部４７の円周方向一端は、図１３に示すように前記天板２が立起状態となった際に開口４５の端部に当接し、それ以上の回動を規制している。また、前記軸受部材４２の固定部４７の円周方向他端は、図１２に示した例では天板２が水平状態のときに他方の取付片４３の端部と離れているが、これらが当接するように設定することも可能である。
【００２５】
そして、前記支持部材４６の突出端部４８には、前記幕板１５の上縁を嵌合し、適宜ネジ止めしたホルダー４９を水平な支軸５０で取付け、幕板１５の下部を前後に回動可能に支持している。尚、前記幕板１５の下端部を前記後脚杆１２に固定し、前後に揺動しないようにすることも可能である。
【００２６】
【発明の効果】
以上にしてなる請求項１に係る発明の水平スタッキングテーブルは、前記脚部の天板枢着部より前下方位置に横設した水平杆に前記ステーの基端部を回動可能に枢着するとともに、該ステーを跳ね上げ方向に弾性付勢し、前記天板の下面前部に前後方向に取付けた案内部材に、上方へ湾曲した案内部と該案内部の前後端に上方へ切れ込んだ係合部とからなるガイド溝を形成し、前記ステーの先端部に設けた摺動部を前記ガイド溝内にスライド係合し、前記ステーの摺動部がガイド溝の前方係合部に係合した状態で前記天板を水平状態に支持するとともに、摺動部が後方係合部に係合した状態で前記天板を立起状態に支持してなるので、天板を水平状態と立起状態とに簡単な機構にてガツツキなく確実に支持することができるとともに、天板を水平状態と立起状態との間でスムーズに変化させることができる。
【００２７】
請求項２によれば、左右のステーが一体となって連動し、天板の下面両側部を支持するので、天板を立起状態にした場合に枢着部に捩れを生じさせることなく安定に支持することができる。
【００２８】
請求項３によれば、天板を水平状態において何らストッパーを設けなくてもその状態を維持することができ、また天板を前部を持上げて立起状態へ移行させる際には、ステーの弾性付勢力が天板に自重による下方回転のモーメントの一部を相殺するので、その動作が軽くなる。
【００２９】
請求項４によれば、ヒンジ部材内にステーを跳ね上げ方向へ弾性付勢する引張りコイルばねを内蔵しているので、該引張りコイルばねが露出しないので外観性に優れているとともに、安全性がより高められ、またヒンジ部材も水平杆の時期方向への移動が自動的に規制された状態で簡単に取付けることができる。
【図面の簡単な説明】
【図１】本発明に係る水平スタッキングテーブルの側面図である。
【図２】同じく天板の動作を示す部分側面図である。
【図３】同じく正面図である。
【図４】複数の水平スタッキングテーブルを前後にスタッキングした状態を示す側面図である。
【図５】水平杆にステーを枢着するヒンジ部材と弾性付勢機構を示し、天板が水平状態の場合の部分断面図である。
【図６】同じく天板が立起状態の場合の部分断面図である。
【図７】ヒンジ部材の展開図である。
【図８】同じく展開状態のヒンジ部材の側面図である。
【図９】同じく展開状態のヒンジ部材の断面側面図である。
【図１０】同じく重合状態のヒンジ部材の断面側面図である。
【図１１】脚部と天板との枢着部と幕板の取付構造を示す部分分解斜視図である。
【図１２】同じく天板が水平状態の場合の部分断面図である。
【図１３】同じく天板が立起状態の場合の部分断面図である。
【符号の説明】
Ａ  水平スタッキングテーブル
１  脚部                ２  天板
３  ステー              ４  枢着部
５  ヒンジ部材          ６  案内部材
７  水平杆              ８  ガイド溝
８Ａ  ガイド部          ８Ｂ  前方係合部
８Ｃ  後方係合部        ９  摺動部
１０  前脚杆            １１  支持杆
１２  後脚杆            １３  補強杆
１４  キャスター        １５  幕板
１６  連結杆            １７  棚受部
１８  取付部            １９  軸受部
２０  溝部              ２１  引張りコイルばね
２１Ａ  一端            ２１Ｂ  他端
２２  薄肉部            ２３，２４  ヒンジ部
２５，２６  半割取付部  ２７，２８  取付溝
２９，３０  取付孔      ３１，３２  半割軸受溝
３３，３４  接合部      ３５  突起
３６  凹部              ３７  突片
３８  固定ネジ          ３９  ネジ
４０  ナット            ４１  レバー
４２  軸受部材          ４３  取付片
４４  軸受部            ４５  開口
４６  支持部材          ４７  固定部
４８  突出端部          ４９  ホルダー
５０  支軸
【図１】
0003591452.tif 000002
【図２】
0003591452.tif 000003
【図３】
0003591452.tif 000004
【図４】
0003591452.tif 000005
【図５】
0003591452.tif 000006
【図６】
0003591452.tif 000007
【図７】
0003591452.tif 000008
【図８】
0003591452.tif 000009
【図９】
0003591452.tif 000010
【図１０】
0003591452.tif 000011
【図１１】
0003591452.tif 000012
【図１２】
0003591452.tif 000013
【図１３】
0003591452.tif 000014